(57)【要約】【課題】カードやカードを載せたトレイの差込みを検出する信頼性の高い検出スイッチを備えたカードコネクタを提供する。【解決手段】検出スイッチ６０は、第１および第２のスイッチアーム６２を有する。第１のスイッチアーム６１は、第１端部６１１を固定端として片持ち梁状に延びている。第１のスイッチアーム６１は、差し込まれてきたカード等に第２端部６１２が押されて奥向きに弾性変形する。第２のスイッチアーム６２は、第１のスイッチアーム６１よりも奥側に配置されている。第２のスイッチアーム６２も、第１端部６２１が固定されて片持ち梁状に延びている。第２のスイッチアーム６２には、奥向きに変形してきた第１のスイッチアーム６１が接触する。ここで、第１のスイッチアーム６１には、折り返すように湾曲する湾曲部６１３が形成されている。湾曲部６１３は、差し込まれてきたカード等と第２のスイッチアーム６２との双方に凸曲面で摺動する。【選択図】図４
2016131111.tif 000002
【特許請求の範囲】
【請求項１】
挿抜方向奥向きに差し込まれてきたカードあるいはカードを載せたトレイからなる挿入体を受け容れる受容空間が形成されたハウジングと、該受容空間の奥側に配置され、挿入体が差し込まれたことを検出する検出スイッチとを備え、
前記検出スイッチが、
第１端部が前記ハウジングに固定されて片持ち梁状に受容空間内に延び、差し込まれてきた前記挿入体に第２端部が押されて奥向きに弾性変形する第１のスイッチアームと、
前記受容空間の、前記第１のスイッチアームよりも奥側に配置され、第１端部が前記ハウジングに固定されて片持ち梁状に受容空間内に延び、前記挿入体に押されて奥向きに変形してきた前記第１のスイッチアームに第２端部が接触する第２のスイッチアームとを備え、
前記第１のスイッチアームが、該第１のスイッチアームの前記第２端部に、前記第１端部に向かう向きに折り返すように湾曲して、差し込まれてきた前記挿入体に押されたときに該挿入体と前記第２のスイッチアームとの双方に摺動する湾曲部を備えたことを特徴とするカードコネクタ。
【請求項２】
前記湾曲部が、前記挿抜方向手前側に折り返すように湾曲していることを特徴とする請求項１記載のカードコネクタ。
【請求項３】
前記挿入体が、カードを載せたトレイであることを特徴とする請求項１または２記載のカードコネクタ。
【発明の詳細な説明】
【技術分野】
【０００１】
本発明は、メモリカード等のカードが差し込まれるカードコネクタに関する。
【背景技術】
【０００２】
メモリカード等のカードが差し込まれるカードコネクタが広く普及している。カードコネクタの中には、カードが差し込まれたことを検出する検出スイッチが設けられているものがある（特許文献１参照）。特許文献１に開示されている検出スイッチには、手前側の第１のスイッチアームと奥側の第２のスイッチアームが設けられている。カードが差し込まれると、第１のスイッチアームがカードで押されて奥側に弾性変形し、第２のスイッチアームに接触する。これにより、カードの挿入が検出される。第１のスイッチアームには、カードに接触する第１接触面と、第２スイッチアームに接触する第２接触面とが形成されている。第１接触面と第２接触面は、それぞれカードと第２スイッチアームに向かって凸の円弧形状に形成されている。しかしながら、この第１のスイッチアームが第２のスイッチアームに接触すると第２のスイッチアームに座屈させる向きの力が働く。このため、第１のスイッチアームと第２のスイッチアームとが滑らかには摺動しないおそれがある。また、座屈が生じると、接触不良となって、カードが正しく検出されないおそれがある。
【先行技術文献】
【特許文献】
【０００３】
【特許文献１】２００８−８４６２３号公報
【発明の概要】
【発明が解決しようとする課題】
【０００４】
本発明は、上記事情に鑑み、カードやカードを載せたトレイの差込みを検出する信頼性の高い検出スイッチを備えたカードコネクタを提供することを目的とする。
【課題を解決するための手段】
【０００５】
上記目的を達成する本発明のカードコネクタは、
挿抜方向奥向きに差し込まれてきたカードあるいはカードを載せたトレイからなる挿入体を受け容れる受容空間が形成されたハウジングと、その受容空間の奥側に配置され、挿入体が差し込まれたことを検出する検出スイッチとを備え、
上記検出スイッチが、
第１端部がハウジングに固定されて片持ち梁状に受容空間内に延び、差し込まれてきた挿入体に第２端部が押されて奥向きに弾性変形する第１のスイッチアームと、
受容空間の、第１のスイッチアームよりも奥側に配置され、第１端部がハウジングに固定されて片持ち梁状に受容空間内に延び、挿入体に押されて奥向きに変形してきた第１のスイッチアームに第２端部が接触する第２のスイッチアームとを備え、
上記第１のスイッチアームが、第１のスイッチアームの第２端部に、第１端部に向かう向きに折り返すように湾曲して、差し込まれてきた挿入体に押されたときに挿入体と第２のスイッチアームとの双方に摺動する湾曲部を備えたことを特徴とする。
【０００６】
本発明のカードコネクタは、第１のスイッチアームの第２端部に、第１端部に向かう向きに折り返すように湾曲した湾曲部が形成された形状を有する。このため、挿入体が差し込まれてきて第１のスイッチアームの第２端部を押したときに、その第２端部は、カードとも第２のスイッチアームとも円滑に摺動する。したがって、第２のスイッチアームは、固定されている第１の端部を中心に回転するように円滑に弾性変形することができ、座屈等の不具合が生じるおそれが低減する。これにより、信頼性の高い検出スイッチが実現する。
【０００７】
ここで、本発明のカードコネクタにおいて、上記湾曲部が、挿抜方向手前側に折り返すように湾曲していることが好ましい。
【０００８】
第１および第２のスイッチアームは、いずれも片持ち梁形状を有し、自由端の形状や動きは厳密には管理できない。そこで、第１のスイッチアームの第２端部に、挿抜方向手前側に折り返して第１端部に向かうように湾曲した湾曲部を形成する。そうすると、第１のスイッチアームの第２端部の端縁が第２のスイッチアームに接触することによる摺動性が低下してしまうことを確実に避けることができ、一層信頼性の高い検出スイッチが実現する。
【０００９】
また、本発明のカードコネクタは、上記挿入体が、カードを載せたトレイであってもよい。
【００１０】
ただし、本発明は、カードを単独で差し込むタイプのカードコネクタにも適用することができる。
【発明の効果】
【００１１】
本発明によれば、座屈等の不具合の発生のおそれが低減された信頼性の高い検出スイッチを備えたカードコネクタが実現する。
【図面の簡単な説明】
【００１２】
【図１】本発明の一実施形態としてのカードコネクタの外観斜視図である。
【図２】カードコネクタからシェルを取り外してハウジング組立体の内側を示した平面図である。
【図３】カードコネクタからシェルを取り外してハウジング組立体の内側を示した平面図である。
【図４】検出スイッチを取り出して示した拡大図である。
【発明を実施するための形態】
【００１３】
以下、本発明の実施の形態を説明する。
【００１４】
図１は、本発明の一実施形態としてのカードコネクタの外観斜視図である。
【００１５】
このカードコネクタ１０は、回路基板（図示せず）に表面実装されるタイプのコネクタである。また、このカードコネクタ１０は、本発明にいうカードの一例であるナノＳＩＭカード５０がトレイ４０に載せられて差し込まれるタイプのコネクタである。
【００１６】
このカードコネクタ１０は、ハウジング組立体２０と、金属製のシェル３０とを有する。それらハウジング組立体２０とシェル３０との間には差込口１１が設けられている。この差込口１１からは、ナノＳＩＭカード５０を載せたトレイ４０が、矢印Ｆの向きに差し込まれる。また、ハウジング組立体２０には、差込口１１の奥に、差し込まれてきたトレイ１１を受容する受容空間２０Ａが形成されている。
【００１７】
ナノＳＩＭカード５０を載せるトレイ４０には、その正面に通し穴４１が形成されている。この通し穴４１は、受容空間２０Ａに受容されている状態のトレイ４０をカードコネクタ１０から抜き取る際にピン（不図示）を差し込むための穴である。詳細は後述する。
【００１８】
また、トレイ４０の両脇にはロック用の窪み部４２が設けられている。ここには、一方の窪み部４２のみ示されている。
【００１９】
図２、図３は、カードコネクタからシェルを取り外してハウジング組立体の内側を示した平面図である。ここで、図２には、トレイを差し込む前の状態が示されている。
また、図３には、トレイが差し込まれた状態が示されている。
【００２０】
図２に示すように、ハウジング組立体２０は、樹脂製のハウジング２１と、そのハウジング２１にインサート成形されたコンタクト２２とを備えている。ナノＳＩＭカード５０の不図示の裏面には、コンタクト２２との間の電気的な接触を担うパッドが設けられている。ナノＳＩＭカード５０を載せたトレイ４０が受容空間２０Ａに差し込まれる。すると、ナノＳＩＭカード５０のパッドとコンタクト２２とが接触する。これにより、このカードコネクタ１０が搭載されている回路基板（不図示）とナノＳＩＭカード５０が、コンタクト２２を介して電気的に接続される。
【００２１】
また、このハウジング組立体２０には、受容空間の左右両側にロックばね２３が備えられている。これらのロックばね２３は、受容空間２０Ａの中央に向かって突き出た突出部２３ａを有する。受容空間２０Ａにトレイ４０が受容されると、トレイ４０の両側に設けられている窪み部４２（図１参照）にロックばね２３のが入り込む。これにより、トレイ４０は、カードコネクタ１０から不用意には抜け出ないようにロックされる。
【００２２】
また、このハウジング組立体２０の、受容空間２０Ａの奥側には、回動レバー２４が備えられている。この回動レバー２４は、その中央に、ハウジング２１に回動自在に支持された回動軸２４１を有する。また、この回動レバー２４は、第１端２４２と第２端２４３とを有する。第１端は、差し込まれてきたトレイ４０に押されて図２に示す矢印Ｉの向きに回動して、図３に示す姿勢になる。
【００２３】
また、このハウジング組立体２０には、図２，図３の右隅の位置に、トレイ４０の挿抜方向に延びるスライドバー２５を備えている。このスライドバー２５は、ハウジング２１に、トレイ４０の挿抜方向にスライド自在に支持されている。このスライドバー２５は、挿入口１１（図１参照）側端部に、ピン（不図示）が押し当てられる押当て部２５１を有する。また、このスライドバー２５は、奥側に、回動レバー２４の第２端２４３に突き当たる突当て部２５２を有する。
【００２４】
回動レバー２４が図２に示す姿勢にあって、トレイ４０が差し込まれると、回動レバー２４は、トレイ４０に押されて矢印Ｉの向きに回動する。そのとき、回動レバー２４の第２端２４３がスライドバー２５の突当て部２５２を押す。すると、スライドバー２５は、図２に示す位置から図３に示す矢印Ｒの向きにスライドして、図３に示すように、押当て部２５１を少し突き出した状態となる。
【００２５】
受容空間２０Ａに受容されたトレイ４０を取り出すときは、トレイ４０に設けられた通し穴４１から不図示のピンを差し込む。すると、そのピンの先がスライドバー２５の押当て部２５１に当たり、スライドバー２５が押し込まれる。そのとき、スライドバー２５の突当て部２５２が、回動レバー２４の第２端２４３を押す。すると、回動レバー２４が図３に示す矢印Ｊの向きに回動し、その第１端２４２でトレイ４０を押す。すると、トレイ４０は、ロックばね２３とのロックが外れて手前側に少し押し出される。その後、トレイ４０に指の爪を掛けて、あるいは、ピンセット等の治具を使って、トレイ４０がカードコネクタ１０から抜き取られる。
【００２６】
このカードコネクタ１０のハウジング組立体２０にはさらに、受容空間２０Ａの奥側の位置に、トレイ４０の挿抜を検出する検出スイッチ６０が備えられている。この検出スイッチ６０は、第１のスイッチアーム６１と第２のスイッチアーム６２とを有する。トレイ４０が差し込まれていない、図２に示す状態では、第１のスイッチアーム６１と第２のスイッチアーム６２は、互いに離れた状態にある。トレイ４０が差し込まれると、第１のスイッチアーム６１がトレイ４０に押されて奥向きに弾性変形し、図３に示すように、第２のスイッチアーム６２に接触する。これにより、トレイ４０が差し込まれたことが検出される。トレイ４０が抜き取られると、第１のスイッチアーム６１が第２のスイッチアーム６２から離れて図２に示す状態に戻る。
【００２７】
以下、この検出スイッチ６０についてさらに詳細に説明する。
【００２８】
図４は、検出スイッチを取り出して示した拡大図である。
【００２９】
この検出スイッチ６０は、トレイ４０が差し込まれたことを検出するスイッチである。この検出スイッチ６０は、第１のスイッチアーム６１と第２のスイッチアーム６２とを有する。
【００３０】
第１のスイッチアーム６１は、その第１端部６１１がハウジング２１（図２，図３参照）に固定されている。そして、この第１のスイッチアーム６１は、片持ち梁状に受容空間２０Ａ内に延びて、その延びた先に第２端部６１２を有する。この第２端部６１２は、受容空間２０Ａに差し込まれてきたトレイ４０に押される。この第１スイッチアーム６１は、第２端部６１２が押されると、第１端部６１１を中心として奥向きに回動するように弾性変形する。
【００３１】
第２のスイッチアーム６２は、受容空間２０Ａの、第１のスイッチアーム６１よりも奥側に配置されている。第２のスイッチアーム６２も、第１のスイッチアーム６１と同様に、その第１端部６２１がハウジング２１に固定されて片持ち梁状に受容空間２０Ａ内に延びている。そして、トレイ４０に押されて奥向きに変形してきた第１のスイッチアーム６１に、この第２のスイッチアーム６２の第２端部６２２が接触する。この第２端部６２２は、第１のスイッチアーム６１側が凸となる向きに少し湾曲した形状を有する。
【００３２】
ここで、第１のスイッチアーム６１の第２端部６１２には、第１端部６１１に向かう向きに折り返すように湾曲した湾曲部６１３が設けられている。この湾曲部６１３は、トレイ４０と第２のスイッチアーム６２の第２端部６２２との双方に凸曲面で接して円滑に摺動する。したがって、第２のスイッチアーム６２を無理に押し縮める向きの力や、第１のスイッチアーム６１が無理に引き伸ばされる向きの力は、ほとんど作用しない。これにより、へたりや変形が防止され、接触不良などの不具合の発生が回避される。
【００３３】
湾曲部６１３は、本実施形態では、挿抜方向手前側（トレイ４０側）に折り返すように湾曲している。この向きに折り返した湾曲部６１３を設けることで、第２端部６１２側の端縁６１４がトレイ４０に接触するのを避け、円滑な動きを実現している。ただし、この湾曲部６１３は、挿抜方向奥側（第２スイッチアーム６２側）に折り返すように湾曲させてもよい。
【００３４】
本実施形態は、図４に示すタイプの検出スイッチを、カードをトレイに載せて差し込むタイプのカードコネクタに適用した例である。ただし、本発明は、カード自体を、トレイなしで直接に差し込むタイプのカードコネクタにもそのまま適用することができる。
【符号の説明】
【００３５】
１０    カードコネクタ
２０    ハウジング組立体
２１    ハウジング
２２    コンタクト
３０    シェル
４０    トレイ
５０    ナノＳＩＭカード
６０    検出スイッチ
６１    第１のスイッチアーム
６１３  湾曲部
６２    第２のスイッチアーム
【図１】
2016131111.tif 000003
【図２】
2016131111.tif 000004
【図３】
2016131111.tif 000005
【図４】
2016131111.tif 000006